(57)【特許請求の範囲】
【請求項１】
ステアリングハンドル（１）を支持するダッシュボード（２）とこの後方の運転席（３）との左右両側部にわたるサイドステップフロア（４）を形成し、運転席（３）の後側にリヤフロア（１８）を形成し、該リヤフロア（１８）に沿って横長の施肥装置（１９）及び施肥ホッパー（２０）を設け、前記ダッシュボード（１）の左右両側部にバイザフレーム（５）を支持するバイザ主柱（６）を設け、バイザフレーム（５）上面に沿ってバイザシート（３３）を敷設し、バイザフレーム（５）は、前後中間部に備える第一のヒンジ（３７）により後部（５Ｒ）を前部（５Ｆ）上に折畳んで重合し、更にバイザ主柱（６）上端に備える第二のヒンジ（３８）により後部（５Ｒ）及び前部（５Ｆ）を前側へ回動して折畳む構成とし、バイザ主柱（６）を支軸（３６）回りに後側へ倒伏するよう回動させることにより、バイザ主柱（６）をサイドステップフロア（４）の内側に沿わせると共に、折畳まれたバイザフレーム（５）及びバイザシート（３３）が後下がりの傾斜姿勢で施肥ホッパー（２０）の上方を覆う構成とした苗植車体。
【発明の詳細な説明】
【技術分野】
【０００１】
この発明は、バイザフレームの簡単、軽量化を図る苗植車体に関する。
【背景技術】
【０００２】
サイドステップフロアを有する苗植車体の前部外側に補助苗載枠を設け、この補助苗載枠の上方にバイザ主柱を取付支持すると共に、このバイザは運転席部上では狭幅で、この運転席後部の施肥ホッパー部上では幅広く形成される技術（例えば、特許文献１参照）が知られている。
【特許文献１】特開平７ー３１２２３号公報（第２頁、図１、図１１）。
【発明の開示】
【発明が解決しようとする課題】
【０００３】
バイザーは、苗植車体の運転席上部を覆って、サンバイザー、又はレインバイザー用として使用されるが、苗植作業の特性上重量は軽量であり、強度は風圧に耐えるように構成されることが望まれる。又、苗植車体は、ダッシュボードや運転席の横側に沿ってサイドステップフロアが形成されることが多いが、このバイザ主柱が、サイドステップフロアの外側に設けられる形態では、運転者、作業者がサイドステップフロア上を移動するときの邪魔になり易く、又、このサイドステップフロアの外側に補助苗載枠を配置する形態では、この補助苗載枠を移動させたり、苗の積込みや、後部の苗植装置の苗タンクへの苗補給等において邪魔になり易い。
【課題を解決するための手段】
【０００４】
請求項１に記載の発明は、ステアリングハンドル（１）を支持するダッシュボード（２）とこの後方の運転席（３）との左右両側部にわたるサイドステップフロア（４）を形成し、運転席（３）の後側にリヤフロア（１８）を形成し、該リヤフロア（１８）に沿って横長の施肥装置（１９）及び施肥ホッパー（２０）を設け、前記ダッシュボード（１）の左右両側部にバイザフレーム（５）を支持するバイザ主柱（６）を設け、バイザフレーム（５）上面に沿ってバイザシート（３３）を敷設し、バイザフレーム（５）は、前後中間部に備える第一のヒンジ（３７）により後部（５Ｒ）を前部（５Ｆ）上に折畳んで重合し、更にバイザ主柱（６）上端に備える第二のヒンジ（３８）により後部（５Ｒ）及び前部（５Ｆ）を前側へ回動して折畳む構成とし、バイザ主柱（６）を支軸（３６）回りに後側へ倒伏するよう回動させることにより、バイザ主柱（６）をサイドステップフロア（４）の内側に沿わせると共に、折畳まれたバイザフレーム（５）及びバイザシート（３３）が後下がりの傾斜姿勢で施肥ホッパー（２０）の上方を覆う構成とした苗植車体とする。
【０００５】
バイザフレーム（５）部にはバイザシート等が覆って設けられるため、このバイザシート部で運転席（３）や後部の施肥ホッパー部上方が被覆されて、直射日光の照射や、降雨時の漏水が防止される。運転者は、苗植作業時はこのサイドステップフロア（４）を介して乗降したり、前後に移動して、前部の補助苗載枠に搭載していた苗を取出して後側の苗植装置の苗タンクに補給する。このような作業において、このバイザ主柱（６）は、ダッシュボード（２）の左右外側部に設けられているために、運転者がサイドステップフロア（４）を移動しても、この外側部は開放状態にあるため、該補助苗枠の移動や、この補助苗載枠から取出した苗の持ち運びを行い易くする。
【発明の効果】
【０００６】
請求項１に記載の発明は、バイザフレーム５を支持するバイザ主柱６が、ダッシュボード２の外側部で、この外方に形成されるサイドステップフロア４の内側部に狭幅形態に設けられるため、構成が簡単で、軽量化することができ、このサイドステップフロアを移動する運転者の邪魔になり難く、作業性を高めることができる。
【０００７】
また、前後中間部に備える第一のヒンジ３７により後部５Ｒを前部５Ｆ上に折畳んで重合し、更にバイザ主柱６上端に備える第二のヒンジ３８により後部５Ｒ及び前部５Ｆを前側へ回動して折畳む構成とし、バイザ主柱６を支軸３６回りに後側へ倒伏するよう回動させることにより、バイザ主柱６をサイドステップフロア４の内側に沿わせると共に、折畳まれたバイザフレーム５が施肥ホッパー２０の上方を覆う構成としたので、バイザ主柱６を後側へ倒伏するよう回動させた折畳み状態で、苗植作業を行うことができると共に、機体の全高を低くでき、機体を倉庫に格納するときやトラックにて運搬するとき等にバイザフレーム５及びバイザシート３３が邪魔にならないようにできる。しかも、この折畳み状態で、折り畳まれたバイザシート３３が施肥ホッパー２０の上方に配置されるので、折畳み状態でも施肥ホッパー２０が雨に濡れるのを防止でき、ひいては施肥ホッパー２０の蓋の隙間等からホッパー２０内に水が浸透して肥料が吸水するようなことを防止できる。更に、折畳み状態ではバイザシート３３が施肥ホッパー２０の上方で後下がりの傾斜姿勢となるので、該バイザシート３３が受けとめた雨水を施肥ホッパー２０の後方すなわち運転席３とは反対側へ向けて排水でき、運転席３にいるオペレ−タにバイザシート３３が受けとめた雨水がかからないようにできる。
【発明を実施するための最良の形態】
【０００８】
図１〜図３に基づいて、苗植車体１１は、フロントアクスルハウジング１２の左右両端に前車輪１３をハンドル１によって操向可能に設け、リヤアクスルハウジング１４の左右両端に後車輪１５を軸装し、運転席３下側のシートフロア１６下に搭載のエンジンによって伝動回転して操向する構成としている。この車体１１の上側には、前側のダッシュボード２と後部のシートフロア１６との間にセンタフロア１７を設け、このセンタフロア１７から前後のダッシュボード２、及びシートフロア１６にわたる左右両側部にサイドステップフロア４が設けられる。このサイドステップフロア４の前端は、ダッシュボード２の外側部において前側に開放されて、運転者の乗降はこのサイドステップフロア４の横側はもとより、前端側からも行われ易くしている。又、サイドステップフロア４の後端部は、シートフロア１６の後部上位に向けて傾斜して、運転席３の後側で横方向に沿うリヤフロア１８に連結される。このリヤフロア１８上に沿って横長の施肥装置１９、及び上端部の施肥ホッパー２０が装着される。
【０００９】
車体１１の後端には平行リンク形態のリフトリンク２１を介して苗植装置２２が連結される。この苗植装置２２は、下部にセンタフロート２３と、この左右両側部のサイドフロート２４を有し後部には各フロート２３、２４で均平された土壌面に苗植付する苗植付機構２５を配置し、上部には前上がり傾斜の苗タンク２６を左右移動可能に設け、苗タンク２６に供給されるマット形態の苗を後下部へ繰出しながら各苗植付機構２５の作動域へ供給しながら６条植形態等の多条植付を行う構成としている。又、車体１１の前部で前記サイドステップフロア４の前部外側には、支持ブラケット２７によって複数段の苗受棚２８を有する補助苗載枠２９を装着する。この補助苗載枠２９は、サイドステップフロア４の前端部側に向けて突出の操作レバー３０を操作することによって、支持ブラケット２７の周りに３６０度旋回することができ、各苗受棚２８への苗の積込、取出を行いやすくしている。この操作レバー３０は、支持ブラケット２７に対してレバーピン３９の周りに上下搖動自在に設けられ、スプリング４０で上方へ弾発されて、この係止片４１を補助苗載枠２９と一体化移動のストッパー４２の係合部４３に係合することによって補助苗載枠２９の回動位置を固定できる。操作レバー３０をスプリング４０に抗して下動して係合部４３から外すと補助苗載枠２９を回動できる。この操作レバ−３０は補助苗載枠２９の前部で機体左右方向内側に設けられているので、機体上からでも機体前方の畦からでも作業者が容易に操作でき、苗補給作業性が向上する。
【００１０】
バイザ主柱６や、バイザフレーム５等はカーボン製の中空形態で軽量に構成することができる。バイザ主柱６は、ダッシュボード２の左右両側部に沿って後上方に傾斜させて設ける。バイザフレーム５はこのバイザ主柱６の上端部を後方へ延長させるか、又は、一体的に連結させる。この左右のバイザフレーム５の後端部は、施肥ホッパー２０の後端上方に位置させて、左右後端部間を後端連結フレーム３１で連結している。又、このバイザフレーム５は、前記シートフロア１６の左右両側部から立設される後部支柱３２で支持している。このバイザフレーム５は、該バイザ主柱６上に連結される主バイザフレーム７部の後部外側に副バイザフレーム８をループ状に張り出させて一体的に連結構成している。この副バイザフレーム８は、外側端部を施肥ホッパー２０の外側端部上を覆う状態に位置させている。これらバイザフレーム５上面に沿ってバイザシート３３が敷設される。３４は左右バイザ主柱６の上端部間を連結する連結杆である。該バイザシート３３は、前後の連結杆３４、連結フレーム３１等の形状によって中央部を高くすると共に、左右両側部を低くして円弧状、乃至ドーム状形態に傾斜させて敷設して、雨水の流下を速やかに行わせることができる。
【００１１】
苗植車体１１を圃場内の畦畔乃至農道際に接近させるときは、運転者はこのサイドステップフロア４の前端部から昇降できる。又、このサイドステップフロア４の外側の補助苗載枠２９を回動しながら各苗受棚２８に対する苗積込を行うことができる。更には、このサイドステップフロア４を通って車体１１後部の苗タンク２６に対する苗供給や、施肥ホッパー２０に対する肥料供給を行わせることができる。又、苗植作業中に苗受棚２８の苗を苗タンク２６に補給するときは、運転者がこのサイドステップフロア４を前後に移動しながら苗を運搬供給する。このような苗植車体１１上での作業において、前記バイザ主柱６、及び後部支柱３２は、サイドステップフロア４の内側、即ち、ダッシュボード２やシートフロア１６側に設けられるため、運転者は苗を外側補助苗載枠２９から取り出したままの状態で、後方の苗タンク２６へ運んで供給することができ、苗運搬の邪魔になり難いものである。又、該補助苗載枠２９を旋回するときも、このバイザ主柱６に当接することなく、邪魔にならないで、作業性を高めることができる。又、施肥ホッパー２０の蓋３５を開けて、肥料を供給するときは、この上部がバイザシート３３の後端部で覆われるため、雨降り時の施肥作業においても、施肥ホッパー２０内に雨水の降込みを少なくすることができ、施肥作用を円滑に行わせることができる。
【００１２】
図３のように後部支柱３２を取外して、前記バイザ主柱６の上端部にたいして、バイザフレーム５を折畳む形態として、このバイザ主柱６の下端部を支軸３６の周りに後側へ倒伏回動することにより、このバイザ主柱６をサイドステップフロア４の内側に沿わせると共に、折畳まれたバイザフレーム５部を施肥ホッパー２０の後部上を覆うように位置させた収納姿勢として、苗植作業、乃至車体１１格納を行うことができる。バイザフレーム５は、前後中間部にヒンジ３７を設けて、この周りに後部５Ｒを前部５Ｆ上に折畳んで重合し、更にこれらをバイザ主柱６上端のヒンジ３８周りに前側へ回動する。前記バイザ主柱６の基端部は、車体１１の前部に固定のソケット等に差し込んで支持する形態とし、バイザフレーム５を折畳むときは、このバイザ主柱６をソケット部から抜き外して後方へ倒すように構成することもできる。これにより、機体の全高を低くでき、機体を倉庫に格納するときやトラックにて運搬するとき等にバイザフレーム５及びバイザシート３３が邪魔にならないようにできる。また、この折畳み状態で、折り畳まれたバイザシート３３が施肥ホッパー２０の上方に配置されるので、折畳み状態でも施肥ホッパー２０が雨に濡れるのを防止でき、ひいては施肥ホッパー２０の蓋の隙間等からホッパー２０内に水が浸透して肥料が吸水するようなことを防止できる。更に、折畳み状態ではバイザシート３３が施肥ホッパー２０の上方で後下がりの傾斜姿勢となるので、該バイザシート３３が受けとめた雨水を施肥ホッパー２０の後方へ（運転席３とは反対側へ向けて）排水でき、運転席３にいるオペレ−タにバイザシート３３が受けとめた雨水がかからないようにしている。
【００１３】
次に、主として図４、図５に基づいて、前記バイザフレーム５を、前端幅を狭くし、後端幅を広くして略台形状に形成したものであり、前記後部支柱３２に代えて、針金、又はワイヤー等を用いる構成としている。尚、機体平面視で補助苗載枠２９がどの位置へ回動してもバイザシ−ト３３の外側に位置するので、苗補給時にバイザシ−ト３３が邪魔にならず、補助苗載枠２９に対する苗供給、苗取出が容易に行える。
【００１４】
次に、主として図６〜図１０に基づいては、前記施肥ホッパー２０上を開閉するホッパ蓋３５に、ブラインド形態のバイザシート５０を張設可能に設けたものである。前記バイザフレーム５は有しても、下方の施肥ホッパー２０には雨水が降りかかり易いため、このホッパ蓋３５を、ホッパー２０上後部のヒンジ５１の周りに後上方へ開くことによって、このホッパ蓋３５の前端部に設けられたバイザシート５０がホッパー２０の開口上方を覆うものである。前記ホッパ蓋３５の前端両側端には下方直交方向に向けて、バイザアーム５２、５３をヒンジ５４で折畳回動可能に設ける。これらのバイザアーム５２の基部にはブラインド形態のバイザシート５０のリールケース５５を取付けて、このリールケース５５からバイザシート５０をバイザアーム５３のヒンジ５４周りの回動によって前方へ引出して張設することができる。左右のバイザアーム５３の先端部間にはバイザシート５０の前端部を固定するシートロッド５６が設けられて、これに形成されるハンドル５７を前側に引くことによって、バイザアーム５３をヒンジ周りに前方へ回動させて、バイザシート５０を引出張設することができる。この状態でホッパ蓋３５の開放位置で、このホッパー２０上口を覆うことができる。又、ホッパ蓋３５をヒンジ５１周りに前側へ回動して、ホッパー２０上口を閉鎖するときは、先端部のバイザアーム５３をヒンジ５４周りに上側へ回動してバイザアーム５２上に折畳む形態とすれば、バイザシート５０はリールケース５５内に巻取収納されて、これらバイザアーム５２、５３を運転席３と施肥ホッパー２０との間に位置させることができる。
【００１５】
前記バイザシート５０は、後下がりに傾斜されて雨水を後側へ流下し易くすることができる。又、この形態では後端部にリールケース５５が突出して雨水流下の邪魔にならないように、図８のようにリールケース５５の上周部を迂回するようにバイザシート５０の引出、巻取を行うように構成することができる。
【００１６】
前記バイザシート５０のリールケース５５からの引出、巻取操作と、バイザアーム５３の回動、折畳み操作を格別に行う形態（図９）とすることもできる。このバイザアーム５３の先端部及び基端部にシートロッド５６の両側端部を係合できるフック５８、５９を形成している。
【００１７】
又、前記ホッパ蓋３５の左右両端部に取付けるバイザアーム５２は、図１０のように前後長さをホッパー２０上の前後幅に渡るように広く形成して、折畳み不可能の一体形態とすることもできる。
【００１８】
次に、図１１に基づいては、前記ホッパー２０の上方に左右長手方向に引出、巻込可能のバイザシート５０を設けたものである。このバイザシート５０を横端のリールケース５５に巻込み収納することにより、運転者が後方の苗タンク２６に苗補給する場合に、このバイザシート５０が邪魔になり難い。バイザシート５０は雨天時で、肥料を補給するときだけ引出して覆うことができる。リールケース５５の設置側とは反対側のバイザケース５２には、このバイザシート５０の引出位置を係止するフック６１が設けられる。
【００１９】
次に、図１２に基づいては、前記リールケース５５を苗植装置２２の苗タンク２６上端部に装着して、雨天時で肥料補給時には、このリールケース５５からバイザシート５０を前側へ引出して、このフック６２をホッパー２０前側のブラケット６３に係合させて、ホッパー２０上を覆うことができる。このバイザシート５０の不要時はリールケース５５に巻取収納しておくことができる。
【００２０】
次に、図１３に基づいては、前記バイザアーム５２、５３をＹ字形態に構成し、このバイザアーム５２に対してヒンジ６４の周りにバイザアーム５３を前後に開閉回動して、これらバイザアーム５２、５３の先端部間にわたって設けたバイザシート５０を拡縮可能の構成とする。バイザアーム５２は施肥装置１９の左右両側端部のヒンジ６５周りに前後回動可能に支持させて、ホッパー２０上を覆う姿勢Ａ、Ｂと、収納姿勢Ｃに切替できる。バイザシート５０の前後端縁は、左右のバイザアーム５２間、及び５３間に架設したバイザロッド６６、６７間にかけ渡している。
【００２１】
次に、図１４に基づいては、前記ホッパー２０の蓋３５をホッパー２０の全幅に渡って開閉可能に設けると共に、この蓋３５の中央部のバイザシート３３の直下に位置する部分に、中蓋６８を開閉可能に設け、雨天時の肥料補給は、この中蓋６８のみ開くことによって行うことができる。
【図面の簡単な説明】
【００２２】
【図１】苗植機全体の側面図。
【図２】その平面図と、一部の斜視図。
【図３】そのバイザフレームの折畳み状態を示す側面図。
【図４】そのバイザフレーム部の別例を示す平面図。
【図５】その側面図。
【図６】その施肥ホッパ蓋部の作動状態を示す側面図。
【図７】その斜視図。
【図８】その一部別例を示す側面図。
【図９】その一部別例を示す側面図。
【図１０】その一部別例を示す側面図。
【図１１】その一部別例を示す側面図と、平面図。
【図１２】その一部別例を示す側面図と、平面図。
【図１３】その一部別例を示す側面図と、その一部の作動状態を示す側面図。
【図１４】その一部別例を示す側面図と、その平面図。
【符号の説明】
【００２３】
１  ステアリングハンドル
２  ダッシュボード
３  運転席
４  サイドステップフロア
５  バイザフレーム
６  バイザ主柱
７  主バイザフレーム
８  副バイザフレーム
【図１】
0004710250.tif 000002
【図２】
0004710250.tif 000003
【図３】
0004710250.tif 000004
【図４】
0004710250.tif 000005
【図５】
0004710250.tif 000006
【図６】
0004710250.tif 000007
【図７】
0004710250.tif 000008
【図８】
0004710250.tif 000009
【図９】
0004710250.tif 000010
【図１０】
0004710250.tif 000011
【図１１】
0004710250.tif 000012
【図１２】
0004710250.tif 000013
【図１３】
0004710250.tif 000014
【図１４】
0004710250.tif 000015